(57)【要約】【課題】異質な被包装物を片面で重ねて分離包装でき、容易に開封して被包装物同士を合体させることができるフィルム包装体を提供する。【解決手段】表基材１の両側から中央側へ延びる裏基材２を折り返して重ね合わせ、表基材１と裏基材２の間に、乾燥状態で保持すべき海苔Ｌの収納部３を形成すると共に、両側へ延びる裏基材２を再度中央側へ折り返して接合することにより、湿り気のあるスライスチーズＣの収納部４を形成する。海苔ＬとスライスチーズＣとを、裏基材２を介し重ねて分離包装でき、また、開封に際し、表基材１を切断して、側方へ引っ張るだけで、海苔ＬとスライスチーズＣの間から裏基材２を引き抜いて、海苔ＬとスライスチーズＣとを合体させることができる。【選択図】図１
2007276847.tif 000002
【特許請求の範囲】
【請求項１】
異質な被包装物を分離して包装し、開封時にこれらの被包装物を合体させるフィルム包装体において、表基材の両側から中央側へ延びる裏基材を折り返して重ね合わせ、表基材と裏基材の間に一方の被包装物収納部を形成すると共に、両側へ延びる裏基材を再度中央側へ折り返して接合することにより、他方の被包装物収納部を形成したことを特徴とするフィルム包装体。
【発明の詳細な説明】
【技術分野】
【０００１】
この発明は、乾燥状態を保持すべき海苔と湿り気のあるチーズ等、性質の異なる被包装物を分離して包装し、開封時に合体させるフィルム包装体に関するものである。
【背景技術】
【０００２】
従来、コンビニエンスストア等で販売されるおにぎりの包装体として、下記特許文献１には、外装フィルムと一対の隔離フィルムとの間に海苔を挟み、隔離フィルム同士を中央部で折り返して重ね合わせ、御飯を包み込んで包装するものが示されている。
【０００３】
この包装体では、おにぎりを食べる直前に、外装フィルムの中央部に貼着したテアテープで外装フィルムを切断し、両側へ外装フィルム及び隔離フィルムを引っ張ると、隔離フィルムが海苔と御飯の間から引き抜かれて、乾燥した海苔と御飯とが合体する。
【０００４】
【特許文献１】実公平５−３６３９０号公報
【発明の開示】
【発明が解決しようとする課題】
【０００５】
しかしながら、上記のような包装体では、二重のフィルム間に海苔を挟んで御飯全体を包み込む仕様となっているため、スライスチーズの片面に海苔を重ねるような包装には対応できず、また、開封時の作業性がよくないという問題もある。
【０００６】
そこで、この発明は、異質な被包装物を片面で重ねて分離包装でき、容易に開封して被包装物同士を合体させることができるフィルム包装体を提供することを課題とする。
【課題を解決するための手段】
【０００７】
上記課題を解決するため、この発明は、異質な被包装物を分離して包装し、開封時にこれらの被包装物を合体させるフィルム包装体において、表基材の両側から中央側へ延びる裏基材を折り返して重ね合わせ、表基材と裏基材の間に一方の被包装物収納部を形成すると共に、両側へ延びる裏基材を再度中央側へ折り返して接合することにより、他方の被包装物収納部を形成したのである。
【発明の効果】
【０００８】
このフィルム包装体では、包装状態において、一方の被包装物収納部と他方の被包装物包装部とが折り返された裏基材を介して重なるので、異質な被包装物を片面で重ねて分離包装でき、これらの被包装物が相互に影響して、品質が劣化する現象を防止できる。
【０００９】
また、開封に際しては、表基材又は裏基材を切断して、その基材を側方へ引っ張るだけで、両方の被包装物の間から裏基材を引き抜いて、これらの被包装物を簡単に合体させることができる。
【発明を実施するための最良の形態】
【００１０】
以下、この発明の実施形態を添付図面に基づいて説明する。
【００１１】
図１に示すように、このフィルム包装体は、海苔ＬとスライスチーズＣとを分離して包装し、開封時にこれらを合体させるものであり、透明な樹脂フィルムを材料とする表基材１及び一対の裏基材２から構成される。
【００１２】
裏基材２は、表基材１の裏面側において、両側から中央側へ延び、折り返されて重ね合わされ、表基材１と裏基材２の外周部分をシールして、表基材１と裏基材２の間に海苔Ｌを収納する収納部３が形成されている。
【００１３】
また、この折返部から両側へ延びる裏基材２は、再度中央側へ折り返されて、中央部で重ね合わされ、その重合部をシールして接合すると共に、両端部も横方向に弱くシールして、裏基材２で包むようにスライスチーズＣを収納する収納部４が形成されている。
【００１４】
また、表基材１の中央部裏面には、縦方向に延びるテアテープ５が貼り付けられ、その始端両側には切目が入れられている。テアテープ５は、表基材１及び裏基材２よりも切れにくい帯状フィルムから成るものである。
【００１５】
このような包装状態では、海苔Ｌの収納部３とスライスチーズＣの収納部４とが折り返された裏基材２を介して重なるので、乾燥状態で保持すべき海苔Ｌと湿り気のあるスライスチーズＣとを片面で重ねて分離包装でき、スライスチーズＣの湿気が海苔Ｌを湿らせる現象を防止できる。
【００１６】
一方、このフィルム包装体を開封する際には、まず、図２（ａ）に示すように、テアテープ５を捲るように引っ張って、表基材１の中央部を縦方向に切断することにより、開封のきっかけをつくる。
【００１７】
次に、図２（ｂ）に示すように、表基材１と裏基材２の一側のシール部分を摘んで左方へ引っ張り、海苔Ｌを半分露出させると共に、海苔ＬとスライスチーズＣの間から折り返された一方の裏基材２を引き抜く。
【００１８】
その後、図２（ｃ）に示すように、表基材１と裏基材２の他側のシール部分を摘んで右方へ引っ張り、海苔Ｌを全部露出させると共に、海苔ＬとスライスチーズＣの間から折り返された他方の裏基材２を引き抜く。
【００１９】
このように開封すると、図３に示すように、乾燥状態で包装されていた海苔Ｌと、保湿されて包装されていたスライスチーズＣとが合体し、海苔Ｌのパリッとした食感や風味と共に、しっとりしたスライスチーズＣを味わうことができる。
【００２０】
ところで、上記フィルム包装体による包装に際しては、図４に示すように、フィルムが巻かれたロールから表基材１と一対の裏基材２とを引き出すと共に、テープリールからテアテープ５を引き出し、包装工程へ供給する。
【００２１】
そして、図５（ａ）に示すように、テアテープ５を裏面に貼り付けた表基材１と、折り返した一対の裏基材２との間に海苔Ｌを挟んで、表基材１と裏基材２とを外周部分でシールし、これにより形成された収納部３に海苔Ｌを収納する。
【００２２】
次に、図５（ｂ）に示すように、上下反転させて、折返部を重ね合わせた一対の裏基材２にスライスチーズＣを載せ、一対の裏基材２を閉じる方向へ折り返して、中央部及び両端部でシールし、これにより形成された収納部４にスライスチーズＣを収納する。
【００２３】
上記のような包装は、一般にスライスチーズの包装に使用されている既存の包装機械で行うことができるので、新たな設備投資が必要となることがなく、包装コストの上昇を抑制することができる。
【００２４】
なお、上記実施形態では、表基材１の裏面に貼り付けたテアテープ５により、表基材１を切断して開封するようにしたが、一対の裏基材２の重合部を弱くシールしておき、このシール部を剥がして開封するようにしてもよい。
【００２５】
また、海苔とスライスチーズを包装する包装体を例示したが、このような構成の包装体は、例えば、パンとこれに載せる具の包装や、もなかの皮と餡の包装等、長時間接触させることが好ましくない異質な食品を分離して包装し、開封時にこれらの食品を合体させる様々なパッケージとして使用することができる。
【００２６】
そのほか、濡れたティッシュペーパーと、吸湿に伴い発熱する石灰等の薬剤とを分離して包装し、開封に伴いティッシュテーパーの水分を薬剤に吸収させ、加熱して使用するような食品以外の被包装物の包装にも適用することができる。
【図面の簡単な説明】
【００２７】
【図１】（ａ）この発明に係るフィルム包装体による海苔とスライスチーズの分離包装状態を示す斜視図、（ｂ）同上の縦断正面図
【図２】（ａ）同上のフィルム包装体の開封過程の第一段階を示す図、（ｂ）同上の第二段階を示す図、（ｃ）同上の第三段階を示す図
【図３】（ａ）同上の開封後の海苔とスライスチーズの合体状態を示す斜視図、（ｂ）同上の正面図
【図４】同上のフィルム包装体のフィルム供給状態を示す斜視図
【図５】（ａ）同上のフィルム包装体による包装工程の第一段階を示す図、（ｂ）同上の第二段階を示す図
【符号の説明】
【００２８】
１  表基材
２  裏基材
３，４  収納部
５  テアテープ
Ｌ  海苔
Ｃ  スライスチーズ
【図１】
2007276847.tif 000003
【図２】
2007276847.tif 000004
【図３】
2007276847.tif 000005
【図４】
2007276847.tif 000006
【図５】
2007276847.tif 000007